(57)【特許請求の範囲】
【請求項１】
複数の印刷データを順次印刷可能な印刷装置と、ネットワークに接続された記憶装置に記憶され、他のリソースへのリンク情報を記述した一のリソース及び前記一のリソースに記述された他のリソースへのリンク情報を用い前記他のリソースを、前記ネットワークを介して受信し、受信したリソースを表示可能で、前記リソースの表示を条件として表示されたリソースを印刷対象として指定可能で、指定を条件として前記印刷対象のリソースに係る印刷データを前記印刷装置に順次送信可能な情報処理装置と、のいずれかを制御するコンピュータが読み取り可能なリンクツリー作成プログラムであって、
前記コンピュータを、
前記印刷装置への送信に係る印刷データへの一のリンク情報を収集する第１リンク情報収集手段と、
前記印刷データに記述される他のリンク情報を収集する第２リンク情報収集手段と、
前記一のリンク情報と前記他のリンク情報との同一性を判断する判断手段と、
前記判断手段によって前記一のリンク情報と前記他のリンク情報との一致の判断を条件として、前記一のリンク情報による第１の印刷データと、前記一のリンク情報に一致する他のリンク情報を含む第２の印刷データに関連性を付与する関連性付与手段と、
前記関連性付与手段により関連性を付与された前記第２の印刷データが前記第１の印刷データに従属するものとして示される一のリンクツリーを作成するリンクツリー作成手段と、
前記リンクツリー作成手段により作成されたリンクツリーを出力する出力制御手段と、
して機能させるためのリンクツリー作成プログラム。
【請求項２】
前記コンピュータを、
他のリンク情報の収集開始を指示する開始信号及び他のリンク情報の収集終了を指示する終了信号を受信する指示信号受信手段と、して機能させるとともに、
前記第２リンク情報収集手段は、前記開始信号の受信から前記終了信号の受信の間において、他のリンク情報の収集を実行する、
ことを特徴とする請求項１に記載のリンクツリー作成プログラム。
【請求項３】
前記リンクツリー作成手段は、前記関連性付与手段によって前記第１の印刷データとの関連性を付与されない第３の印刷データと、前記第３の印刷データに関連性を付与された第４の印刷データに係る他のリンクツリーの作成において、前記一のリンクツリーと前記他のリンクツリーと、を各々作成し、
前記出力制御手段は、前記一のリンクツリーの出力に際し、前記他のリンクツリーについても出力する、
ことを特徴とする請求項２に記載のリンクツリー作成プログラム。
【請求項４】
ネットワークに接続された記憶装置に記憶され、他のリソースへのリンク情報を記述した一のリソース及び前記一のリソースに記述された他のリソースへのリンク情報を用い前記他のリソースを、前記ネットワークを介して受信し、受信したリソースを表示可能で、前記リソースの表示を条件として表示されたリソースを印刷対象として指定可能で、指定を条件として前記印刷対象のリソースに係る印刷データを前記印刷装置に順次送信可能な情報処理装置から、前記印刷データを受信し、受信した印刷データを順次印刷可能な印刷装置であって、
前記印刷データへの一のリンク情報を収集する第１リンク情報収集手段と、
前記印刷データに記述される他のリンク情報を収集する第２リンク情報収集手段と、
前記一のリンク情報と前記他のリンク情報との同一性を判断する判断手段と、
前記判断手段によって前記一のリンク情報と前記他のリンク情報との一致の判断を条件として、前記一のリンク情報による第１の印刷データと、前記一のリンク情報に一致する他のリンク情報を含む第２の印刷データに関連性を付与する関連性付与手段と、
前記関連性付与手段により関連性を付与された前記第２の印刷データが前記第１の印刷データに従属するものとして示される一のリンクツリーを作成するリンクツリー作成手段と、
前記リンクツリー作成手段により作成されたリンクツリーを印刷する印刷制御手段と、
を有することを特徴とする印刷装置。
【発明の詳細な説明】
【技術分野】
【０００１】
本発明は、少なくとも一つの他のリソースへのリンク情報が記述されたリソースを印刷した場合に、リンクによって関連づけられている各リソース同士の関係を示すリンクツリーを作成するリンクツリー作成プログラム及び印刷装置に関する。
【背景技術】
【０００２】
リンクによって関連づけられたリソースを取り扱う場合、そのリソースを含んだリンク構造がどのようなものであるかは有用な情報になる。下記特許文献１には、リンクツリー作成プログラムが記載されている。例えば、図１０に示すように、リンクによって関連づけられたリソースＡ，Ｂ，Ｃ…が存在する場合を考える。従来のリンクツリー作成プログラムでは、リソースＡのＵＲＬが選択されると、その中に埋め込まれたリンク検索を行い、リソースＢ，ＣのＵＲＬを取得する。更に、リソースＡの検索が終了すると、リンクが設定されているＵＲＬの中から未検索のＵＲＬを探し出し、例えばネットワーク経由でリソースＢからリソースＤのＵＲＬを取得する。
【０００３】
ここで、図１１は、こうしたリンク検索処理によって取得されたＵＲＬ情報である。リンクが設定されている全てのリソースについてＵＲＬ検索が終了すると、取得された図１１のＵＲＬ情報から図１２に示すリンクツリーが作成されてディスプレイ表示される。なお、この特許文献１では、作成されたリンクツリーに対し、画面上でマウスなどによって領域指定することで、指定リソースについて印刷することができるようになっている。また、そのリンクツリーについてもリソース間のリンク構造が分かるように印刷することができるようになっている。
【特許文献１】特開２００５−４３２２号公報
【発明の開示】
【発明が解決しようとする課題】
【０００４】
しかし、リンク構造が図示したような単純なものではなく、１リソース内に設定されたリンク数が多く、またリンクによるリソース間のつながりが多いものでは、リンクツリーが非常に複雑なものとなってしまい、却って情報としては扱いにくく価値の低いものとなってしまう。そして、複雑なリンク構造の場合に、前記従来例のように未検索のＵＲＬを探し出してリンクツリーを作成するのでは、作成に時間がかかってしまう他、表現されるリンクツリーは非常に複雑な階層構造になってしまう。従って、そうしたリンクツリーからは、リソースの関係を把握することが困難になり、必要とする情報を絞り込むことができなくなる。
なお、例えば、インターネット上のリソース（複数のサーバに記憶されているデータ）について考慮すれば、そのリンク構造は無限の広がりを有するものであるといっても過言ではない。
【０００５】
そこで、本発明は、かかる課題を解決すべく、全体の中の必要とする一部の関係についてリンクツリーを作成するリンクツリー作成プログラム及び印刷装置を提供することを目的とする。
【課題を解決するための手段】
【０００６】
請求項１に記載のリンクツリー作成プログラムは、複数の印刷データを順次印刷可能な印刷装置と、ネットワークに接続された記憶装置に記憶され、他のリソースへのリンク情報を記述した一のリソース及び前記一のリソースに記述された他のリソースへのリンク情報を用い前記他のリソースを、前記ネットワークを介して受信し、受信したリソースを表示可能で、前記リソースの表示を条件として表示されたリソースを印刷対象として指定可能で、指定を条件として前記印刷対象のリソースに係る印刷データを前記印刷装置に順次送信可能な情報処理装置と、のいずれかを制御するコンピュータが読み取り可能なリンクツリー作成プログラムであって、前記コンピュータを、前記印刷装置への送信に係る印刷データへの一のリンク情報を収集する第１リンク情報収集手段と、前記印刷データに記述される他のリンク情報を収集する第２リンク情報収集手段と、前記一のリンク情報と前記他のリンク情報との同一性を判断する判断手段と、前記判断手段によって前記一のリンク情報と前記他のリンク情報との一致の判断を条件として、前記一のリンク情報による第１の印刷データと、前記一のリンク情報に一致する他のリンク情報を含む第２の印刷データに関連性を付与する関連性付与手段と、前記関連性付与手段により関連性を付与された前記第２の印刷データが前記第１の印刷データに従属するものとして示される一のリンクツリーを作成するリンクツリー作成手段と、前記リンクツリー作成手段により作成されたリンクツリーを出力する出力制御手段として機能させることを特徴とする。
【０００７】
請求項２に記載のリンクツリー作成プログラムは、請求項１に記載のものであって、前記コンピュータを、他のリンク情報の収集開始を指示する開始信号及び他のリンク情報の収集終了を指示する終了信号を受信する指示信号受信手段と、して機能させるとともに、前記第２リンク情報収集手段は、前記開始信号の受信から前記終了信号の受信の間において、他のリンク情報の収集を実行するようにしたことを特徴とする。
請求項３に記載のリンクツリー作成プログラムは、請求項２に記載のものであって、前記リンクツリー作成手段は、前記関連性付与手段によって前記第１の印刷データとの関連性を付与されない第３の印刷データと、前記第３の印刷データに関連性を付与された第４の印刷データに係る他のリンクツリーの作成において、前記一のリンクツリーと前記他のリンクツリーと、を各々作成し、前記出力制御手段は、前記一のリンクツリーの出力に際し、前記他のリンクツリーについても出力することを特徴とする。
【０００８】
請求項４に記載の印刷装置は、ネットワークに接続された記憶装置に記憶され、他のリソースへのリンク情報を記述した一のリソース及び前記一のリソースに記述された他のリソースへのリンク情報を用い前記他のリソースを、前記ネットワークを介して受信し、受信したリソースを表示可能で、前記リソースの表示を条件として表示されたリソースを印刷対象として指定可能で、指定を条件として前記印刷対象のリソースに係る印刷データを前記印刷装置に順次送信可能な情報処理装置から、前記印刷データを受信し、受信した印刷データを順次印刷可能な印刷装置であって、前記印刷データへの一のリンク情報を収集する第１リンク情報収集手段と、前記印刷データに記述される他のリンク情報を収集する第２リンク情報収集手段と、前記一のリンク情報と前記他のリンク情報との同一性を判断する判断手段と、前記判断手段によって前記一のリンク情報と前記他のリンク情報との一致の判断を条件として、前記一のリンク情報による第１の印刷データと、前記一のリンク情報に一致する他のリンク情報を含む第２の印刷データに関連性を付与する関連性付与手段と、前記関連性付与手段により関連性を付与された前記第２の印刷データが前記第１の印刷データに従属するものとして示される一のリンクツリーを作成するリンクツリー作成手段と、前記リンクツリー作成手段により作成されたリンクツリーを印刷する印刷制御手段と、を有することを特徴とする。
【発明の効果】
【０００９】
よって、請求項１に係る本発明によれば、印刷装置による印刷対象となったリソース（このリソースに係る印刷データ）についてのみのリンクツリーを作成するようにしたので、極めて簡潔に整理されたリンクツリーとなって、その後に誰が見ても、そのリンクツリーから印刷したリソース同士の関係が容易に理解するなど、情報として有効なものになる。
また、請求項２に係る発明によれば、リンク情報収集の期間を設定しているので、希望するリソースについてのみのリンクツリーを作成することができる。
また、請求項３に係る発明によれば、リンクの関係が切れてリンクツリーが複数になった場合でも、印刷対象となった一連のリソースに基づく複数のリンクツリーを同時に出力するようにしたので、同時に出力された複数のリンクツリーからリソース同士の関係が理解し易くなる。
そして、請求項４に係る発明の印刷装置によれば、印刷したリソース同士の関係が容易に理解することができるリンクツリーの印刷が可能である。
【発明を実施するための最良の形態】
【００１０】
次に、本発明に係るリンクツリー作成プログラム及び印刷装置の一実施形態について、図面を参照しながら以下に説明する。図１は、一般的なネットワークを示したブロック図である。ここでは、通信ネットワークであるＬＡＮ６を介してプリンタ１と複数台のクライアントコンピュータ（以下、「クライアントＰＣ」とする）２が接続された状態を示している。そして、クライアントＰＣ２は、通信ユニット５（例えば、ルータ）を介してインターネット網に接続され、外部環境とデータ通信が可能になっている。
【００１１】
プリンタ１は、制御プログラムを記憶するＲＯＭ１１や処理中のデータなどを一時的に記憶するＲＡＭ１２、データを記憶するハードディスクドライブ（ＨＤＤ）１３、このプリンタ１をネットワークに接続するためのインタフェースである通信部１４が備えられている。また、ボタンやタッチパネル式の画面を備えた表示・入力部１５、印刷を実行する印刷部１６が設けられている。更に、プリンタ１は、ＲＯＭ１１、ＲＡＭ１２、ＨＤＤ１３、通信部１４、表示・入力部１５、印刷部１６を制御する制御部（ＣＰＵ）１０が設けられ、これらがシステムバス１８によって接続されている。そして、本実施形態では、ＲＯＭ１１にリンクツリー作成プログラムが格納され、後述するリンクツリーの作成及び印刷が実行される。
【００１２】
一方、クライアントＰＣ２は、ＣＰＵ２１、ＲＯＭ２２、ＲＡＭ２３、ハードディスクドライブ（ＨＤＤ）２４、ディスプレイ２５及び通信部２６を備え、これらがシステムバス２７によって接続され、通信部２６を介してネットワーク６に接続されている。そして、ＲＯＭ２２に種々のアプリケーションプログラムをインストールしてＣＰＵ２１に実行させることにより、様々な機能を果たすことができるようになっている。
【００１３】
リンクツリー作成プログラムの実行例として、インターネットを使用し、ある事柄について情報収集を行う場合を考える。ＬＡＮ６から通信ユニット５を介してインターネットに接続されたクライアントＰＣ２では、Ｗｅｂブラウザを使用して各種Ｗｅｂサイトにアクセスして閲覧を行う。そこで、望みの情報が開示されたＷｅｂサイトにアクセスしたならば、更にそのＷｅｂサイトを構成するＷｅｂページ（リソース）へと進み、それぞれの内容を確認していく。
【００１４】
そして、情報として有効なものが見つかったならば、ユーザによってクライアントＰＣ２から該当するＷｅｂページの印刷要求が行われ、当該Ｗｅｂページのデータがプリンタ１へと送信されて印刷処理が行われる。ユーザは更に、Ｗｅｂページ内に設定されたリンクを使用し、関連づけられたＷｅｂページにジャンプし、各Ｗｅｂページの内容について確認しながら必要なものについて、その都度プリンタ１で印刷が行われる。そして、リンクツリー作成プログラムが格納されたプリンタ１では、こうして印刷した複数のＷｅｂページについて関係を示すリンクツリーが作成され、最後にそのリンクツリーの印刷が行われることとなる。
【００１５】
次に、プリンタ１によって実行されるリンクツリー作成プログラムについて具体的に説明する。ここで図２は、あるＷｅｂサイトに含まれるＷｅｂページ一部について、そのページ構成を示した図である。Ｗｅｂサイト内のページはリンクの設定によって関連づけられ、互いに行き来できるようになっており、例えばページ１には、ページ２，３，５，６，７へのリンク情報が設定されている。そこで本実施形態では、当該Ｗｅｂサイトにおいて、ページ１，２，３についてリンクを使用してＷｅｂページを開き、それぞれのページ１，２，３をプリンタ１で印刷した場合について説明する。
【００１６】
ここで、図３は、リンクツリー作成プログラム処理のメインフローを示した図であり、図４は、そのサブフローを示した図である。
クライアントＰＣ２では、ディスプレイ２５にページ１が表示され、そのページ１に対して印刷要求をかけることにより、印刷データがプリンタ１に送信され、印刷が行われる。その際、リンクツリーの作成を望む場合には、クライアントＰＣ２で印刷要求をかける前に、プリンタ１の表示・入力部１５に設けられたリンクツリー作成開始ボタンがユーザによって押される。これにより、ＣＰＵ１０がリンクツリー作成開始信号を受けてリンクツリー作成プログラムの実行をスタートさせる。
【００１７】
そこでプリンタ１では、リンクツリー作成開始ボタンが押されてリンク情報収集モードへと遷移し（Ｓ１０１）、通常の印刷処理では行わないリンク情報収集が行われる（Ｓ１０２）。リンク情報収集は、図４に示すように、印刷データの受信が常に確認されている（Ｓ１１１）。そして、クライアントＰＣ２のディスプレイ２５に表示されたＷｅｂページについて印刷要求がかけられると、クライアントＰＣ２から印刷データが送られ、それをプリンタ１で受信する（Ｓ１１１：ＹＥＳ）。プリンタ１では、印刷データの受信によって、図５に示すように、Ｗｅｂページのリンク情報リストが作成される（Ｓ１１２）。図５は、リンク情報リストの作成過程を示した図である。
【００１８】
先ず、印刷要求のあった図１のページ１には、様々なデータが含まれているが、その中から、ページ１自身のＵＲＬ(Uniform Resource Locator)データの他、ページ１にリンクが設定されたページ２，３，５，６，７のＵＲＬデータが読み出され、それらが対応づけられてＲＡＭ１２に保存される。すなわち、図５（ａ）に示すように、自身のＵＲＬ（Page１）と、リンクの設定されているページ２，３，５，６，７のＵＲＬ（Page２，３，５，６，７）の関係を示すリストが作成される。
【００１９】
次に、クライアントＰＣ２において、ページ１からリンクによってページ２にジャンプし、当該ページについて印刷要求をかける。すると、プリンタ１では、同じようにして印刷データを受信し（Ｓ１１１：ＹＥＳ）、次は図５（ｂ）に示すように、ページ２自身のＵＲＬ（Page２）と、リンクの設定されているページ４，８，９，１０のＵＲＬ（Page４，８，９，１０）の関係を示すリストが追加される（Ｓ１１２）。
【００２０】
更に、クライアントＰＣ２において、ページ２からリンクによってページ３にジャンプし、当該ページについて印刷要求をかける。すると、プリンタ１では、同じようにして印刷データを受信し（Ｓ１１１：ＹＥＳ）、次は図５（ｃ）に示すように、ページ３自身のＵＲＬ（Page３）と、リンクの設定されているページ１１，１２，１３のＵＲＬ（Page１１，１２，１３）の関係を示すリストが追加される（Ｓ１１２）。
【００２１】
その後、リンクによってジャンプした他のページにユーザにとって必要な情報がなく、これ以上の印刷を行わない場合には、プリンタ１の表示・入力部１５に設けられたリンクツリー作成終了ボタンが押され、ＣＰＵ１０がそのリンクツリー作成終了を受けることによってリンク情報収集が終了する（Ｓ１０３）。そして、プリンタ１では、このリンク情報の収集によって得られたリンク情報リストに基づいて、更にリンクツリーが作成される（Ｓ１０４）。このとき、プリンタ１によって印刷されたページ１，２，３は、図５（ｄ）のリンク情報リストに太字で示すような位置関係になっている。すなわち、ページ１に対してページ２，３のリンクが設定され、ページ２，３の中には印刷されたページのリンクは設定されていない。
【００２２】
従って、この例において印刷対象となったリソースからは、図６に示すように、ページ１と、その下に配置したページ２，３とを線でつないだリンクツリーの関係が得られる。プリンタ１では、リンクツリー作成終了ボタンが押されると、リンク情報リストから、こうした図６に示すリンクツリーの印刷データが作成され、それが印刷される（Ｓ１０５）。
【００２３】
ところで、この例では、あるＷｅｂサイト内においてリンクを使用した各ページへのジャンプを行い、各ページの内容を確認しながらプリンタ１で印刷を行っている。従って、アクセスしたＷｅｂページはページ１，２，３だけではない。しかし、本実施形態のリンクツリー作成プログラムでは、印刷の行われていないＷｅｂページはリンクツリーの中に含めず、印刷を行ったもののみが対象となってリンクツリーが作成される。
【００２４】
次に、図２に示すＷｅｂページを有するＷｅｂサイトにおいて、ページ１，２，４，１４を印刷した場合について説明する。ここで図７は、本パターンにおけるリンク情報リストの作成過程を示した図である。
先ず、クライアントＰＣ２のディスプレイ２５にページ１が表示され、そのページ１に対する印刷要求によってプリンタ１で印刷が行われる。そして、ページ１に設定されたリンクによってページ３にジャンプし、同様にページ３の印刷が行われる。このときプリンタ１では、前述した場合と同様に、図４のフローに示すように、リンク情報収集が行われ、図７（ａ）（ｂ）のリンク情報リストが作成される（Ｓ１１１，Ｓ１１２）。
【００２５】
続いて、当該Ｗｅｂサイト内の様々なページにリンクを使用して、又は直接ＵＲＬを入力してジャンプし、ページ４にアクセスする。そこで、ページ４に対するクライアントＰＣ２からの印刷要求によって、ページ４がプリンタ１で印刷され、同時にリンク情報収集が行われて図７（ｃ）に示すリンク情報リストが作成される。更に、その後、ページ４に設定されたリンクから直接、或いは別のルートを経由してディスプレイ２５に表示されたページ１４に対して印刷要求がかけられる。そのため、プリンタ１でページ１４の印刷が行われ、同時にリンク情報収集が行われて図７（ｄ）に示すリンク情報リストが作成される。
【００２６】
その後、プリンタ１でリンクツリー作成終了ボタンが押され、リンク情報収集が終了すると、リンク情報収集によって得られたリンク情報リストに基づいて、更にリンクツリーの印刷データが作成される。このとき、プリンタ１によって印刷されたページ１，３，４，１４の関係は、図５（ｅ）に太字で示すようになっている。すなわち、ページ１に対してページ３のリンクが、そしてページ４に対してページ１４のリンクがそれぞれ設定され、ページ１，３とページ４，１４との間にはリンクが設定されていない。
【００２７】
そこで、この場合には、図８に示すように、ページ１とその下に配置したページ３、そしてページ４とその下に配置したページ１４がそれぞれ線でつながれたリンクツリーの関係が得られる。従って、プリンタ１では、リンクツリー作成終了ボタンが押されると、リンク情報リストから、こうした図８に示すリンクツリーの印刷データが作成され、それが印刷される。よって、リンクの関係が切れてリンクツリーが複数になった場合でも、印刷対象となった一連のリソースを一つの印刷データとして作成するようにしたので、１枚に印刷されたリンクツリーからＷｅｂページ（リソース）同士の関係が理解し易くなる。
【００２８】
また、本実施形態のリンクツリー作成プログラムによれば、図６や図８に示すように、印刷したＷｅｂページ（リソース）のみの関係がリンクツリーになって、極めて簡潔に整理されたものとなる。従って、例えば印刷したリソース（資料）とともにこのリンクツリー情報を一緒にまとめておけば、その後に誰が見ても、リンクツリーから印刷した資料同士の関係が容易に理解することができるようになる。また、印刷したＷｅｂページに対して再びインターネットでアクセスしようとする場合にでも、当該Ｗｅｂページに容易にたどり着くことができる。
【００２９】
なお、印刷されたリンクツリーには、各リソースを表現する四角い枠内に、当該リソースを判別する情報が記載される。図６及び図８では、図５及び図７との対応などが分かるように、ＵＲＬを記載して区別するように記載したが、その他の情報であってもよい。例えば、他のリソースに設定されているリンクのキーワードや、当該リソースの内容が分かるようにリソース全体を縮小させたもの、或いはリソースの最初の文字などである。
【００３０】
以上、本発明のリンクツリー作成プログラム及び印刷装置の一実施形態について説明したが、本発明はこれに限定されることなく、その趣旨を逸脱しない範囲で様々な変更が可能である。
例えば、前記実施形態では、インターネット上の各種リソースを印刷する場合について説明したが、リンクツリー作成プログラムを格納したプリンタとの間で情報通信が可能な状態で接続されたものであればよい。従って、コンピュータに限らず、携帯電話や家庭電化製品などであってもよい。
【００３１】
また、印刷装置としてプリンタ１を例に挙げて説明したが、印刷機能を有するものあれば複合機なのであってもよい。
また、前記実施形態では、リンクツリー作成プログラムがプリンタ１に格納され、そのリンクツリーの作成及び印刷を行う場合について説明したが、例えば、十分な処理能力をもったクライアントＰＣ２などであれば、リンクツリー作成プログラムを当該ＰＣに格納し、自らリンクツリーを作成し、その印刷データをプリンタ１へ送って印刷するようにしてもよい。
【００３２】
また、前記実施形態では、リンクツリー作成終了ボタンが押されることで、それまでに収集したリンク情報全てを考慮して一図面にしてリンクツリーを作成及び印刷したが、各リソースの印刷毎にリンクツリーを作成して印刷するようにしてもよい。例えば、図９に示すように、それまでに収集したリンク情報から、図２に示すページ３を印刷する場合、そのリソースがつながっているリンクツリーを、当該リソースの印刷面の下に同時に印刷するようにしてもよい。
【図面の簡単な説明】
【００３３】
【図１】一般的なネットワークを示したブロック図である。
【図２】あるＷｅｂサイトに含まれるＷｅｂページ一部について、そのページ構成を示した図である。
【図３】リンクツリー作成プログラム処理のメインフローを示した図である。
【図４】リンクツリー作成プログラム処理のサブフローを示した図である。
【図５】リンク情報リストの作成過程を示した図である。
【図６】リンクツリー作成プログラムによって作成されたリンクツリーを示した図である。
【図７】リンク情報リストの作成過程を示した図である。
【図８】リンクツリー作成プログラムによって作成されたリンクツリーであって、複数のリンクツリーを表示する場合を示した図である。
【図９】リンクツリー作成プログラムによって作成されたリンクツリーであって、リソースの内容と同時に表示するリンクツリーを示した図である。
【図１０】リンクによって関連づけられたリソースＡ，Ｂ，Ｃ…を示した図である。
【図１１】従来のリンク検索処理によって取得されたＵＲＬ情報を示した図である。
【図１２】従来のリンクツリー作成プログラムによって作成したリンクツリーを示した図である。
【符号の説明】
【００３４】
１    プリンタ
２    クライアントＰＣ
１０  ＣＰＵ
１１  ＲＯＭ
１２  ＲＡＭ
１３  ハードディスクドライブ
１４  通信部
１５  表示・入力部
１６  印刷部
【図１】
0004877184.tif 000002
【図２】
0004877184.tif 000003
【図３】
0004877184.tif 000004
【図４】
0004877184.tif 000005
【図５】
0004877184.tif 000006
【図６】
0004877184.tif 000007
【図７】
0004877184.tif 000008
【図８】
0004877184.tif 000009
【図９】
0004877184.tif 000010
【図１０】
0004877184.tif 000011
【図１１】
0004877184.tif 000012
【図１２】
0004877184.tif 000013